(57)【要約】【課題】乾湿度合を従来以上に広い範囲に亘って適切に正確に把握する。【解決手段】測定対象物２１の第１の面２２側に離間して設けられる第１の電極１１及び第２の電極１２と、前記測定対象物２１における前記第１の面２２の裏方向に存在する第２の面２３に設けられる第３の電極と、前記第１の電極１１に所定電位を印加し、前記第２の電極１２にアース電位を与える電源部３０と、前記第１の電極と前記第２の電極間の電圧に基づき前記測定対象物のインピーダンスを測定する測定部４０と、を具備する。【選択図】図１
2020173142.tif 000002
【特許請求の範囲】
【請求項１】
測定対象物の第１の面側に離間して設けられる第１の電極及び第２の電極と、
前記測定対象物における前記第１の面の裏方向に存在する第２の面側に設けられる第３の電極と、
前記第１の電極に所定電位を印加し、前記第２の電極にアース電位を与える電源部と、
前記第１の電極と前記第２の電極間の電圧に基づき前記測定対象物のインピーダンスを測定する測定部と、
を具備することを特徴とする乾湿度合測定装置。
【請求項２】
前記第１の電極と前記第２の電極とを収納する第１の保持部材と、
前記第３の電極を収納する第２の保持部材と
を具備し、
前記電源部と前記測定部とが、前記第１の保持部材と前記第２の保持部材とのいずれか一方に保持されることを特徴とする請求項１に記載の乾湿度合測定装置。
【請求項３】
前記第３の電極は２つの子電極と、この２つの子電極を電気的に短絡するショート部材とにより構成されることを特徴とする請求項１または２に記載の乾湿度合測定装置。
【請求項４】
前記第１の電極の先端及び前記第２の電極の先端が尖らされており、測定対象物の内部に前記先端が挿入されることを特徴とする請求項１乃至３のいずれか１項に記載の乾湿度合測定装置。
【請求項５】
前記第３の電極の先端が尖らされており、測定対象物の内部に前記先端が挿入されることを特徴とする請求項１乃至４のいずれか１項に記載の乾湿度合測定装置。
【請求項６】
前記第３の電極を用いずに、測定が可能であることを特徴とする請求項１乃至４のいずれか１項に記載の乾湿度合測定装置。
【請求項７】
前記第１の保持部材と前記第２の保持部材との間に、前記測定対象物を挟む構成を有することを特徴とする請求項２に記載の乾湿度合測定装置。
【請求項８】
前記電源部は、交流電源を用いることを特徴とする請求項１乃至７のいずれか１項に記載の乾湿度合測定装置。
【請求項９】
前記第１の電極及び前記第２の電極、前記電源部、前記測定部を、前記測定対象物の重力方向に近い面に設けたことを特徴とする請求項１乃至４のいずれか１項に記載の乾湿度合測定装置。
【請求項１０】
前記第３の電極を用いずに測定が可能であり、装置を、前記測定対象物の内部に設けて測定可能であることを特徴とする請求項１に記載の乾湿度合測定装置。
【請求項１１】
前記測定部の測定結果を送信する送信部が備えられていることを特徴とする請求項１乃至１０のいずれか１項に記載の乾湿度合測定装置。
【請求項１２】
前記第３の電極と略同じ面積の第４の電極を、前記第３の電極に隣接させて設け、
前記第３の電極と略同じ面積の第５の電極を、前記第１の電極と前記第２の電極との間に設けたことを特徴とする請求項１に記載の乾湿度合測定装置。
【請求項１３】
前記第１の電極の先端及び前記第２の電極の先端が尖らされており、測定対象物の内部に前記先端が挿入される構成及びまたは、前記第３の電極、前記第４の電極、前記第５の電極の少なくとも１電極が尖らされており、測定対象物の内部に前記先端が挿入される構成となっていることを特徴とする請求項１２に記載の乾湿度合測定装置。
【請求項１４】
第１片と第２片とがバネを介して結合された洗濯バサミ型の形状を有し、前記第２片が導体であり、第３の電極として機能することを特徴とする請求項１に記載の乾湿度合測定装置。
【請求項１５】
前記第２片と前記バネとが一体化され、前記第２片が導体であり、第３の電極として機能することを特徴とする請求項１４に記載の乾湿度合測定装置。
【発明の詳細な説明】
【技術分野】
【０００１】
この発明は、乾湿度合測定装置に関するものである。
【背景技術】
【０００２】
従来の布などの洗濯物の乾湿度合を測定するには、赤外線やサーモ装置などにより測定が可能であり、また、電気抵抗により測定が可能であることが知られている。また、電極を付けたハンガーなどに洗濯物をセットして、乾湿度合を測定する手法も知られている。しかしながら、上記のような構成によれば、高価なものとなったり、測定箇所が固定されてしまったり、電力量が大きく小型電池での駆動による頻繁な計測には不向きである、などという問題があった。
【０００３】
非特許文献１には、ハンガー等に２個の電極を取り付け、ハンガー等に掛けられた濡れた洗濯物の電気抵抗値を測定して乾き具合を測定することが開示されている。
【０００４】
特許文献１には、肌乾湿度を色彩に変換する半導体素子内蔵の画像表示装置で、肌乾湿度を判明させることが開示されている。
【０００５】
特許文献２には、洗濯物を吊下げ保持する手段に吊下げ保持された洗濯物の重量変化を検出するセンサーを設け、重量変化により乾燥状態を把握することが開示されている。
【０００６】
特許文献３には、電波を洗濯物に向けて射出し、洗濯物を透過した電波強度を検出して、上記洗濯物の乾燥度合を検出することが開示されている。
【先行技術文献】
【非特許文献】
【０００７】
【非特許文献１】田島奈々美、外２名、" AwareHanger: 洗濯物の乾き具合を通知するハンガーの研究" 、インタラクション論文集、情報処理学会シンポジウムシリーズ、２０１１年（３ 月）、ｐｐ．227−230、情報処理学会、〔online〕学術機関リポジトリデータベース(ＩＲＤＢ)、インターネット＜http://jairo.nii.ac.jp＞
【特許文献】
【０００８】
【特許文献１】特開２０１１−２１７９８７号公報
【特許文献２】特開昭６２−２５３１００号公報
【特許文献３】特開２００７−１９５７４５号公報
【発明の概要】
【発明が解決しようとする課題】
【０００９】
本発明の目的は、洗濯物などの測定対象物について、内部に含まれている水分など含有量に対応する乾湿度合を、従来以上に広い範囲に亘って適切に正確に把握することが可能な乾湿度合測定装置を提供することである。
【課題を解決するための手段】
【００１０】
本実施形態に係る乾湿度合測定装置は、測定対象物の第１の面側に離間して設けられる第１の電極及び第２の電極と、前記測定対象物における前記第１の面の裏方向に存在する第２の面側に設けられる第３の電極と、前記第１の電極に所定電位を印加し、前記第２の電極にアース電位を与える電源部と、前記第１の電極と前記第２の電極間の電圧に基づき前記測定対象物のインピーダンスを測定する測定部と、を具備することを特徴とする。
【図面の簡単な説明】
【００１１】
【図１】第１の実施形態に係る乾湿度合測定装置の構成図。
【図２】第２の実施形態に係る乾湿度合測定装置の構成図であり、（ａ）は平面図、（ｂ）は（ａ）のＩ−Ｉ断面図。
【図３】第３の実施形態に係る乾湿度合測定装置の要部である電極部分の側面図。
【図４】第４の実施形態に係る乾湿度合測定装置の要部である電極部分の側面図。
【図５】第５の実施形態に係る乾湿度合測定装置の要部である電極部分の側面図及び電極の斜視図。
【図６】第６の実施形態に係る乾湿度合測定装置の要部である電極部分の側面図及び電極の斜視図。
【図７】第７の実施形態に係る乾湿度合測定装置の要部である電極部分の側面図。
【図８】第８の実施形態に係る乾湿度合測定装置の要部である電極部分の側面図。
【図９】第９の実施形態に係る乾湿度合測定装置の要部である電極部分の側面図。
【図１０】第１０の実施形態に係る乾湿度合測定装置の要部である電極部分の側面図。
【図１１】第１１の実施形態に係る乾湿度合測定装置の構成図。
【図１２】第１２の実施形態に係る乾湿度合測定装置の要部である電極部分の側面図。
【図１３】第１３の実施形態に係る乾湿度合測定装置の構成図。
【図１４】第１４の実施形態に係る乾湿度合測定装置の要部構成図。
【発明を実施するための形態】
【００１２】
以下添付図面を参照して、本発明に係る乾湿度合測定装置の実施形態を説明する。各図において、同一の構成要素には、同一の符号を付して重複する説明を省略する。図１には、第１の実施形態に係る乾湿度合測定装置の構成図が示されている。この乾湿度合測定装置は、第１の電極１１、第２の電極１２、第３の電極１３を備える。第１の電極１１、第２の電極１２、第３の電極１３は、例えば、数ミリ程度の厚さと平面形状が正方形あるいは長方形形状である。平面面積は、特に限定されないが、通常は１０ｍｍ×１０ｍｍ〜２０ｍｍ×２０ｍｍ程度が用いられる。
【００１３】
第１の電極１１と第２の電極１２は、測定対象物２１の第１の面２２側に離間して設けられる。第３の電極１３は、上記測定対象物２１における上記第１の面２２の裏方向に存在する第２の面２３側に設けられる。
【００１４】
更に、本実施形態に係る乾湿度合測定装置は、電源部３０と測定部４０とを備えている。電源部３０は、上記第１の電極１１に所定電位を印加し、上記第２の電極１２にアース電位を与えるもので、電池３１と電源スイッチ３２とを備えている。電池３１によって発生される電圧ＶＤＤが抵抗３３を介して第１の電極１１へ与えられる。
【００１５】
また、測定部４０は、上記第１の電極１１と上記第２の電極１２間の電圧に基づき上記測定対象物２１のインピーダンスを測定するものである。測定部４０は、抵抗３３と第１の電極１１との間からアンプ４１を介して電圧を取り出し、ＡＤ変換部４２へ送る。ＡＤ変換部４２は、アンプ４１から到来するアナログ電圧をディジタル化して主演算処理回路部４３へ送出する。
【００１６】
主処理回路部４３は、マイクロコンピュータと送信部を主な構成要素としており、ＡＤ変換部４２から到来するディジタル電圧を用いて測定対象物２１のインピーダンスを求める。つまり、電源部３０によって一定の電流値が測定対象物２１へ流されており、この一定の電流値をマイクロコンピュータが予め保持していることにより、上記ディジタル電圧を用いて測定対象物２１のインピーダンスを求めるものである。インピーダンスを乾湿度合値とすることも可能である。
【００１７】
インピーダンスまたは乾湿度合値のデータは送信部から、測定対象物２１の乾湿度合を監視している例えばユーザの携帯電子端末等へ送られる。携帯電子端末等は、スマートフォン、携帯電話機、ＰＤＡ（パーソナル・ディジタル・アシスタント）、ＰＣ（パーソナル・コンピュータ）等とすることができる。
【００１８】
また、測定対象物２１は、主に洗濯物であるが、これに限らず、干物などの食べ物、土壌などであっても良い。また、湿り気を与える液体は主に水であるが、油などのような導電性を有する液体であっても良い。
【００１９】
図１では、ペアの電極間のインピーダンスを１つの抵抗シンボルで示しているが、これは、斜め方向や直線ではなく曲線的な経路のインピーダンスを含んでいるものを示したシンボルである。本実施形態の乾湿度合測定装置では、図１に示されるように、第１の電極１１と第２の電極１２間のインピーダンスＲｈ１、第１の電極１１と第３の電極１３間のインピーダンスＲｖ１、第２の電極１２と第３の電極１３間のインピーダンスＲｖ２を合わせたインピーダンスを適切に捉えることができると予測される。
【００２０】
図２には、第２の実施形態に係る乾湿度合測定装置を示す。この第２の実施形態では、乾湿度合測定装置が第１片５１と第２片５２とにより構成される洗濯バサミ型の形状を有している。第１片５１は、手をかける把持部５３を有し、第２片５２は、手をかける把持部５４を有している。把持部５３より他端側は第１の保持部材５５となっており、把持部５４より他端側は第２の保持部材５６となっている。把持部５３と第１の保持部材５５の間は傾斜した連絡部５７により結合されており、把持部５４と第２の保持部材５６の間は傾斜した連絡部５８により結合されている。連絡部５７の内側斜面と連絡部５８の内側斜面には、バネ５９が埋設されており、第１片５１はと第２片５２を結合している。第１片５１はと第２片５２はバネ５９を中心に回動し、第１の保持部材５５と第２の保持部材５６の間が閉じたり開いたりする。バネ５９は、第１の保持部材５５と第２の保持部材５６の間が閉じるように付勢している。これにより、上記第１の保持部材５５と上記第２の保持部材５６との間に、上記測定対象物２１を挟む構成を有することになる。
【００２１】
第１の保持部材５５と第２の保持部材５６の対向する面には、窪んだ収納室５５Ａ、５６Ａが形成されており、収納室５５Ａに第１の電極１１と第２の電極１２とが収納されることにより、第１の保持部材５５が第１の電極１１と第２の電極１２とを収納している。収納室５６Ａに第３の電極１３が収納されることにより、第２の保持部材５６が第３の電極１３を収納している。
【００２２】
上記電源部３０と上記測定部４０とが、上記第１の保持部材５５と前記第２の保持部材５６とのいずれか一方に保持される。本実施形態では、上記電源部３０と上記測定部４０とが収納室５５Ａに収納固定されて、上記第１の保持部材５５に保持された状態となる。
【００２３】
勿論、上記第１の保持部材５５と上記第２の保持部材５６との間に、上記測定対象物２１を挟むときには、第１の電極１１と第２の電極１２とが上記測定対象物２１の第１の面２２側と電気的接続を得るようになり、第３の電極１３と上記測定対象物２１の第２の面２３側と電気的接続を得るようになる。
【００２４】
第１の実施形態と第２の実施形態では、上記第３の電極１３を用いずに、測定が可能である。第１の実施形態では、上記第３の電極１３に対し、第１の電極１１と第２の電極１２とは、接続されるなどしていないために、上記第３の電極１３を除外して、第１の電極１１と第２の電極１２のみを測定対象物２１の第１の面２２側に離間して設ける。この場合の模型的な回路図は、図３に示すようになり、これが第３の実施形態である。つまり、第１の電極１１と第２の電極１２との間の合成抵抗ＲＬは、ＲＬ＝Ｒ１となる。係る態様によって薄い生地の洗濯物などに対して乾湿度合測定を、第３の電極１３を用いることなく可能である。
【００２５】
第４の実施形態による乾湿度合測定を行った場合の模型的な回路図を、図４に示す。第３の電極１３を、２つの子電極１３ｓ、１３ｓと、この２つの子電極１３ｓ、１３ｓを電気的に短絡するショート部材１６と、によって構成したものである。子電極１３ｓと子電極１３ｓとの間には電極が存在しないために、子電極１３ｓと子電極１３ｓとの間から、第１の電極１１と第２の電極１２までの領域に存在する測定対象物２１の組成物によるインピーダンスが測定されない可能性があるが、この測定されない可能性があるインピーダンスが無視できる程度であれば、本実施形態によっても実用上問題のない測定が可能である。
【００２６】
第１の電極１１と第２の電極１２と子電極１３ｓ（第３の電極１３も同じ）の電極形状の変形例を図５と図６に示す。図５は、第５の実施形態に係る乾湿度合測定装置の要部を示し、図６は、第６の実施形態に係る乾湿度合測定装置の要部を示す。図５（ａ）に示した電極の形状は、球心を含む円に平行な円の平面により、当該球をカットした場合の部分球形状とでも称する形状である（図５（ｂ））。図６に示した各電極の形状は、図６（ｂ）に示す四角錐形状や図６（ｃ）に示す台形を積層した台形柱形状と呼ぶことができるものである。電極の先端が尖らされ（鋭角でなく、なだらかな形状も含む）ており、測定対象物２１の内部に上記先端が挿入されることを特徴とする。この電極の形状によれば、測定対象物２１の表面から内部までの範囲で、または測定対象物２１の表面から内部方向へ押し下げた位置までの範囲で、のインピーダンスが測定できることが期待され、測定部位を広くとる必要がある場合などに好適である。
【００２７】
図７〜図１０には、測定対象物２１の内部方向へ棒状に延びる形状の電極または、測定対象物２１の内部方向へ棒状に延びる形状部分を有する電極を採用した乾湿度合測定装置の要部が、模型的な回路図によって示されている。棒状の形状は、いずれも細い（例えば１０ｍｍ以下）の円柱、角柱であり、ここでは図に現れないが、測定対象物２１の内部方向へ尖っていても良い。図７の例は第７の実施形態に係る乾湿度合測定装置の要部であり、第１の実施形態における第１電極１１と第２電極１２に上記形状の電極を採用したものである。この実施形態では、第１電極１１と第２電極１２間において、測定対象物２１の内部のインピーダンスを計測して乾湿度合測定を行うことが求められる場合に好適である。
【００２８】
図８は第８の実施形態に係る乾湿度合測定装置の要部を示す。図８の例は、図７の例において、第３の電極１３の両先端１３ｅ、１３ｅが測定対象物２１の内部方向へ棒状に延びる形状部分となっている。この実施形態では、図７の実施形態に加えて、第３の電極１３の両先端１３ｅ、１３ｅの部分において、測定対象物２１の内部のインピーダンスを計測して乾湿度合測定を行うことが求められる場合に好適である。
【００２９】
図９は第９の実施形態に係る乾湿度合測定装置の要部を示す。図９の例は、第１の実施形態において、第３の電極１３の両先端１３ｅ、１３ｅが測定対象物２１の内部方向へ棒状に延びる形状部分となっている。この実施形態では、第１電極１１と第２電極１２の側における測定対象物２１の内部のインピーダンスはあまり問題とせず、第３の電極１３の両先端１３ｅ、１３ｅの部分において、測定対象物２１の内部のインピーダンスを計測して乾湿度合測定を行うことが求められる場合に好適である。
【００３０】
図１０は第１０の実施形態に係る乾湿度合測定装置の要部を示す。図１０の例は、図３の例において、第１電極１１と第２電極１２に上記形状の電極を採用したものである。この実施形態では、第１電極１１と第２電極１２間において、測定対象物２１の内部のインピーダンスを計測して乾湿度合測定を行うことが求められる場合に好適である。
【００３１】
図１１は第１１の実施形態に係る乾湿度合測定装置の要部を示す。図１１の例は、第３の電極１３を用いずに測定が可能であり、装置を、上記測定対象物２１の内部に設けて測定可能である。即ち、電源部３０と測定部４０とを絶縁モジュール５０内に閉じ込め、電源部３０と測定部４０から絶縁被膜を有するリード線６１、６２を電極に接続したものである。リード線６１を第１の電極１１に接続し、リード線６２を第２の電極１２に接続している。測定対象物２１の内部における第１電極１１が配置された位置と第２電極１２が配置された位置の間のインピーダンスを計測して乾湿度合測定を行うことが求められる場合に好適である。
【００３２】
図１２は第１２の実施形態に係る乾湿度合測定装置の要部を示す。図１２の例は、第３の電極１３と同じく、第１の電極に対しては第２の電極の如くに対向する電極の機能を有し、第２の電極に対しては第１の電極の如くに対向する電極の機能を有する電極を複数設けて測定範囲の拡大を図ったものである。具体的には、図１の実施形態における電極配置状態から、第１の電極１１と第２の電極１２との距離を長くする。例えば、図１の第３の電極１３の長さの１．５倍程度の距離を設けることができる。更に、第１の電極１１と上記第３の電極１３と略同じ面積の第４の電極１４を、上記第３の電極１３に隣接させて設け、上記第３の電極と略同じ面積の第５の電極１５を、上記第１の電極１１と上記第２の電極１２との間に設けたものである。
【００３３】
各電極間のインピーダンスを図１２に示す如く、Ｒｈ１、Ｒｈ２、Ｒｈ３、Ｒｖ１、Ｒｖ２、Ｒｖ３、Ｒｖ４とするとき、第１の電極１１と第２の電極１２との間の合成抵抗ＲＬは、或る関数ｆを用いて、ＲＬ＝ｆ（Ｒｈ１、Ｒｈ３、Ｒｈ３、Ｒｖ１、Ｒｖ２、Ｒｖ３、Ｒｖ４）と表すことができる。測定範囲を拡大してインピーダンスを計測して乾湿度合測定を行うことが求められる場合に好適である。第４の電極１４や第５の電極１５に相当する電極を更に増やすことにより、より広範囲の計測が可能である。
【００３４】
以上の実施形態において上記電源部３０は、直流として説明を行ってきたが、交流電源を用いることも可能である。これにより、抵抗成分だけでなく、容量成分も測定することができるようになり、繊維に含んだ水分のみではなく、細胞などの内部に含まれている水分量などを測定することが可能となる。また、測定対象物２１をその第２の面２３が重力に近い側として用いるようにし、測定対象物２１の第２の面に第１の電極１１と第２の電極１２が電気的接続を得るように取り付け、第３の電極１３を第１の面２２と電気的接続を得る構造にした測定装置とすることも可能である。この構成により、布などの下側につけることになり、水分などが重力により下に落ちるため、第１の電極１１と第２の電極１２のみを用いる構成であっても、より正確に乾湿度合測定することができる。第１の電極１１と第２の電極１２の電極だけでなく、電源部３０と測定部４０を測定対象物２１の第２の面２３側に設けるようにすることも可能である。この構成では、電極が上になり、重量が大きな基板等を含む電源部３０と測定部４０を絶縁モジュール内に閉じ込めて下にぶら下げられる構造とすると好適である。
【００３５】
図１３には、第１３の実施形態に係る乾湿度合測定装置を示す。この第１３の実施形態では、乾湿度合測定装置が第１片７１と第２片７２とにより構成される変形の洗濯バサミ型の形状を有している。第１片７１は、一面が湾曲した面とされ、概ね直方体の形状の基部７３を有し、この基部７３の１つの側壁面から２条の棒状体７４、７４が伸びて形成されている。棒状体７４、７４の先端部には、第１の電極１１と第２の電極１２が露出して設けられている。一方の棒状体７４の先端部には、第１の電極１１が設けられ、他方の棒状体７４の先端部には、第２の電極１２が設けられている。本実施形態では、上記電源部３０と上記測定部４０とが基部７３内に収納固定されている。棒状体７４、７４において、基部７３の湾曲面と同じ側が湾曲面となっており、この湾曲面の裏面側に第１の電極１１と第２の電極１２が露出して設けられている。棒状体７４、７４の付根付近の基部７３の湾曲していない平らな面には、一対の軸受７５、７５が突設されている。
【００３６】
第２片７２は、一方側が２条のアーム部７６、７６とされた平板に構成され、全体が導体であり、第３の電極１３として機能する。アーム部７６、７６の反対側は２条のアーム部７６、７６を結合した面積を有し、手をかける把持部７７となっている。アーム部７６、７６の付根付近の把持部７７における第１片７１と対向する面には、軸受７８が突設されている。この軸受７８は、第１片７１の一対の軸受７５、７５の間隙に挿嵌され得る幅を有し、軸受７５、７５の穴と軸受７８の穴とに嵌合される図示しない軸により、第２片７２は、第１片７１と結合される。軸受７５、７５と軸受７８とに嵌合される図示しない軸には、図示しないバネが挿嵌される、このバネは第２片７２と第１片７１とが結合した状態で、第２片７２のアーム部７６、７６を第１片７１方向へ付勢する。アーム部７６、７６は先端部において小面積の平坦部７６Ａ、７６Ａを有し、アーム部７６、７６の平坦部７６Ａ、７６Ａよりも付根側において外側（第１片７１と逆側）へ凸状に湾曲した湾曲部７６Ｂ、７６Ｂを有する。把持部７７は、アーム部７６、７６との境界部付近から先端部へ向かって、外側（第１片７１と逆側）へ反って形成されている。このため、前述のようにバネによって、第２片７２のアーム部７６、７６が第１片７１方向へ付勢された状態では、把持部７７の先端側が大きく第１片７１の平面から離間した状態を呈する。即ち、第１３の実施形態に係る乾湿度合測定装置は、変形の洗濯バサミ型の形状を有している。
【００３７】
このように、本実施形態は、第１片と第２片とがバネを介して結合された洗濯バサミ型の形状を有し、前記第２片が導体であり、第３の電極として機能するものである。これにより、上記棒状体７４、７４の第１の電極１１と第２の電極１２が設けられた面、アーム部７６、７６の間に、上記測定対象物２１を挟む構成を有することになる。この場合に、前記第２片７２が導体であるから、第２片７２のいずれの部分においても測定対象物２１との電気的コンタクトを得ることができ、適切な測定が可能であるという利点がある。また、アーム部７６、７６の反った形状によって、布団などの厚手の測定対象物２１を的確に挟むことができる利点もある。
【００３８】
図１４に、第１４の実施形態に係る乾湿度合測定装置の要部構成斜視図を示す。図１４には、図１３の実施形態の第２片７２に変えて用いることができる第２片８２が示されている。この第２片８２は、コイルバネ８１と、コイルバネ８１の一方の巻端に接続する脚部８３と、コイルバネ８１の他方の巻端に接続する把持部８４と、枠状の押当部８５とを備えている。コイルバネ８１、脚部８３、把持部８４、押当部８５は、１本の導体線により構成されていて一体化されていても良く、また、個々の導体の部材であって一体化されていても良い。コイルバネ８１、脚部８３、把持部８４、押当部８５が、個々の導体の部材によって構成される場合には、個々の導体の部材が溶着や溶接などにより結合される。
【００３９】
コイルバネ８１は、図１３の第１片７１に設けられた一対の軸受７５、７５間に嵌合される寸法を有している。また、コイルバネ８１の内径は軸受７５、７５に配置される軸の外径より僅かに大きく、当該軸が貫通されて、上記第２片８２が第１片７１に取り付けられる。若しくは、コイルバネ８１の内径は軸受７５、７５に配置される軸の外径より遥かに大きく、コイルバネ８１の中空部には、上記軸を貫通する軸穴を有する円筒状のスペーサが嵌合される。
【００４０】
脚部８３は、コイルバネ８１の一方の巻端からコイルバネ８１の軸に平行に外側へ延び、その後概ね直角にコイルバネ８１の径方向に折り曲げられてコイルバネ８１の径と同じ程度進んだ後に、コイルバネ８１のラジアル方向へ所要寸法延びた位置で終端している。この終端位置から直線の部分が、第１片７１に押し当てられる押当部８３Ａとなっている。
【００４１】
把持部８４は、コイルバネ８１の他方の巻端からコイルバネ８１の円における接線方向に延びる直線部８４Ａを有し、直線部８４Ａが適当な長さとなると、手を掛けやすいように適当な位置で折り曲げられループさせられて吊り輪型に形成されている。
【００４２】
押当部８５は、把持部８４がコイルバネ８１と結合する位置を始点とする概ね四角形の枠状をなしている。四角形の枠は、コイルバネ８１の軸に平行な上辺枠８６Ｕ及び下辺枠８６Ｄと、上辺枠８６Ｕの端部と下辺枠８６Ｄの端部とを結ぶ２つの側辺枠８７Ｎ、８７Ｆとにより構成される、凸に湾曲している。
【００４３】
コイルバネ８１を軸受７５、７５間に配置して軸により第２片８２を第１片７１に取り付けたときに、コイルバネ８１の付勢力で押当部８５の上辺枠８６Ｕが第１片７１の第１の電極１１と第２の電極１２に当接し、把持部８４のループの部位が第１片７１から離間した状態となる。コイルバネ８１が円として見える方向から第２片８２を見たときに、押当部８３Ａと直線部８４Ａとがなす角度は、把持部８４を第１片７１まで近付けたときに、押当部８５が第１片７１から離間する寸法を考慮して適宜設計される。
【００４４】
このように、図１３の実施形態の第２片７２に変えて第２片８２を用いた乾湿度合測定装置の本実施形態は、第１片と第２片とがバネを介して結合された洗濯バサミ型の形状を有し、前記第２片が導体であり、第３の電極として機能するものである。これにより、上記棒状体７４、７４の第１の電極１１と第２の電極１２が設けられた面、押当部８５の間に、上記測定対象物２１を挟む構成を有することになる。この場合に、前記第２片８２が導体であるから、第２片８２のいずれの部分においても測定対象物２１との電気的コンタクトを得ることができ、適切な測定が可能であるという利点がある。また、押当部８５の反った形状によって、布団などの厚手の測定対象物２１を的確に挟むことができる利点もある。
【符号の説明】
【００４５】
１１  第１の電極
１２  第２の電極
１３  第３の電極
１３ｅ  先端
１３ｓ  子電極
１４  第４の電極
１５  第５の電極
１６  ショート部材
２１  測定対象物
３０  電源部
４０  測定部
４１  アンプ
４２  変換部
４３  主演算処理回路部
５０  絶縁モジュール
５１、７１  第１片
５２、７２、７２８２  第２片
５３、５４、７７、８４  把持部
５５、５６  保持部材
５５Ａ、５６Ａ  収納室
５７、５８  連絡部
５９  バネ
６１、６２  リード線
７４  棒状体
７６  アーム部
８３  脚部
８５  押当部
【図１】
2020173142.tif 000003
【図２】
2020173142.tif 000004
【図３】
2020173142.tif 000005
【図４】
2020173142.tif 000006
【図５】
2020173142.tif 000007
【図６】
2020173142.tif 000008
【図７】
2020173142.tif 000009
【図８】
2020173142.tif 000010
【図９】
2020173142.tif 000011
【図１０】
2020173142.tif 000012
【図１１】
2020173142.tif 000013
【図１２】
2020173142.tif 000014
【図１３】
2020173142.tif 000015
【図１４】
2020173142.tif 000016